(57)【要約】  【課題】  極座標状に画素を配置したアイリス情報センサにおいて、簡単な構成によってアイリスの周辺部分の影響を低減してアイリス識別精度を向上させる。  【解決手段】  極座標状に配列された光電変換画素群３１上に、目のアイリス領域からの画像光を結像させ、各光電変換画素を順次操作してアイリス画像信号を読み出す極座標センサ部１０ａと、読み出したアイリス画像信号に基づきアイリス特徴抽出コードを生成する特徴抽出コード生成部１５，１６，１７と、前記特徴抽出コード生成部によって生成されたアイリス特徴抽出コードと、予め登録されたアイリス特徴抽出コードとを比較して比較評価値を生成する比較部４４，４５，４６，４７であって、前記比較評価値は前記極座標センサ部１０ａの内周部程大きな重みを有する比較評価関数で生成されるものとを備え、前記比較評価値を予め定めた基準値と比較してアイリス識別を行なう。  【選択図】      図４
2006185299.tif 000002
【特許請求の範囲】
【請求項１】
極座標状に配列された光電変換画素群を備え、目のアイリス領域からの画像光を、前記画素群上に結像されたアイリス画像の中心と前記極座標の極とが一致するように前記光電変換画素群上に結像させ、前記光電変換画素群の各光電変換画素を順次走査してアイリス画像信号を読み出す極座標センサ部と、
読み出したアイリス画像信号にもとづきアイリス特徴抽出コードを生成する特徴抽出コード生成部と、
前記特徴抽出コード生成部によって生成されたアイリス特徴抽出コードと、予め登録されたアイリス特徴抽出コードとを比較して比較評価値を生成する比較部であって、前記比較評価値は前記極座標センサ部の内周部ほど大きな重みを有する比較評価関数で生成する比較部と、
を具備し、前記比較評価値を予め定めた基準値と比較してアイリス識別を行うことを特徴とするアイリス識別装置。
【請求項２】
前記特徴抽出コード生成部によって生成されたアイリス特徴抽出コードと、予め登録されたアイリス特徴抽出コードとを各画素ごとに排他的論理和演算して、不一致部分を各画素の半径位置に応じて重み付けして積算することにより、前記比較評価値を生成することを特徴とする請求項１に記載のアイリス識別装置。
【請求項３】
前記極座標センサ部の光電変換画素群は、複数の同心円状の解析帯に分けて配置され、かつ円周方向の画素数が等しいことを特徴とする請求項１に記載のアイリス識別装置。
【請求項４】
前記アイリス特徴抽出コードを、各半径方向に沿って配列された画素群のうち、内周部側に配置された画素が最上位ビット側、外周部側に配置された画素が最下位ビット側となるよう、各半径方向に沿って配列された各画素が２進数の各ビットに対応する重みを有するよう生成し、各半径方向に沿って配列された画素群からの特徴抽出データごとに予め登録されたアイリス特徴抽出コードの対応する特徴抽出データとの大きさ比較によってアイリス識別を行うことを特徴とする請求項３に記載のアイリス識別装置。
【請求項５】
前記各半径方向に沿って配列された画素群からのアイリス特徴抽出データのうち、最上位ビット側から一部のビットのみを使用してアイリス識別を行うことを特徴とする請求項４に記載のアイリス識別装置。
【請求項６】
前記アイリス画像信号は前記極座標センサの円周方向の所定の読出し開始位置の画素から最内周の解析帯に沿って一周分の読出しを行い、次に、該解析帯の外側の解析帯に沿って前記読出し開始位置から一周分の読出しを行い、以下順次外周側へと読出しを行うことを特徴とする請求項１に記載のアイリス識別装置。
【請求項７】
前記所定の読出し開始位置からすべての画素につきアイリス画像信号の読出しを行った後、読出し開始位置を順次円周方向にシフトして読出しを行い、読み出した画像信号から生成したアイリス特徴抽出コードのうち予め登録されたアイリス特徴抽出コードと最もよく整合する読出し開始位置から読み出した画像信号から生成したアイリス特徴抽出コードを使用してアイリス識別を行うことを特徴とする請求項６に記載のアイリス識別装置。
【請求項８】
前記所定の読出し開始位置から、順次読出し開始位置をシフトして読出しを行う過程で、一旦同一人物と判定できる比較評価値が得られた後は、以後の読出しおよび比較を省略することを特徴とする請求項７に記載のアイリス識別装置。
【請求項９】
円周方向に連続する所定数の複数の画素のそれぞれを読出し開始位置として並列的に読み出したアイリス画像信号から生成した複数のアイリス特徴抽出コードを予め登録されたアイリス特徴抽出コードとそれぞれ比較する複数の比較および積算回路を具備し、これらの比較および積算回路によって得られた比較評価値のうち、最もよく整合する比較評価値を使用してアイリス識別を行うことを特徴とする請求項６に記載のアイリス識別装置。
【発明の詳細な説明】
【技術分野】
【０００１】
本発明は、アイリス識別装置に関し、特に極座標状に画素を配置したエリアセンサ、すなわち極座標センサ、において、アイリスの周辺部分の影響を低減して必要なアイリス情報を的確に検出可能とし、簡単な構成でアイリス識別精度を向上させる技術に関する。
【背景技術】
【０００２】
本願出願人は先に目のアイリスパターンを用いて個人識別などを行なうためのアイリス情報取得装置およびアイリス識別装置などに使用するため、極座標状に光電変換画素を配置した極座標センサを用いることを提案している（特開２０００−３６０３６号公報）。
【０００３】
この極座標センサは、極座標状に配列された光電変換画素群からなる撮像センサと、前記撮像センサ上に結像されたアイリス画像の中心と前記撮像センサの極座標の極との間の誤差の方向と大きさとを求めるための中心位置誤差検出手段とを一体化して１つの基板上に形成したものである。
【０００４】
このようなアイリス情報センサでは、各個人の目のアイリスに特有のアイリスパターンの特徴抽出を行ないアイリスコードを取得する。このアイリスコードは、予め登録されたアイリスコードとの比較を行なうことによって個人認証などを行なうことができる。
【０００５】
目のアイリスのパターンに基づき特徴抽出を行なうためには、例えば前記極座標センサの撮像信号すなわち画素出力信号をバンドパスフィルタに入力し、バンドパスフィルタによって画素出力信号の変化点、すなわちアイリスパターンのθ方向の変化を抽出する。そして、この抽出された信号を所定のしきい値と比較してアイリスコードを生成する。あるいは、アイリスパターンの特徴抽出を、例えば、連続するＮ個の画素の出力の平均値を取得し、この平均値と注目画素の出力とを比較することによりバンドパスフィルタおよび比較器を含む構成と同等の機能を達成することができ、この方法は移動平均比較法と称することができる。
【０００６】
アイリスの模様を用いた個人認証に従来から使用されているアイリスコードは、アイリス画像を半径方向に例えば８つの解析帯に分け、それらを円周方向に切り伸ばして合成した帯から１０２４ポイントの画像データを取り出す。そして、各ポイントにおける模様（アイリスパターン）の位相によって各ポイントに２ビットずつのデータを割り当てる。したがって、計２０４８ビットのデータを特徴抽出データとして、すなわちアイリスコードとして取り出すものである。
【０００７】
そして、個人認証の際には、アイリスの撮像画像から得たアイリスコードと、予め登録されたアイリスコードとを各ビット毎に排他的論理和演算を行ないかつ積算する評価関数、すなわちハミング距離関数、が使用されていた。この評価関数によって計算された値が評価値として使用され、該評価値が所定値より小さい場合に同一人物であると判断されるなどの方法が用いられていた。前記排他的論理和は不一致部分を積算するため、得られた評価関数の値が小さい程類似度が高いことになる。
【０００８】
この場合、アイリスコードの各ビットの不一致部分の積算には、各ビットに対する重み付けはされておらず、全てのビットは重み＝１で平等であった。
【０００９】
しかしながら、アイリスの外周部は瞼やまつ毛によって隠されることが多く、その周辺部もその影響を受けて画像の品位が落ちる。また、照明の仕方によっては、照明光がアイリス部分に写り込むこともあった。
【００１０】
そこで、これらの虹彩の外周部の比較してはいけない部分を比較対象から除くために、従来は本来のアイリスコードとして得られた２５６バイト（２０４８ビット）の他に、同じビット数のマスクビットを付加し、計５１２バイトのアイリスコードとすることで対処していた。すなわち、比較対象外の部分のマスクビットをセットすることで、その部分を比較しないようにしていた。
【特許文献１】特開２０００−３６０３６号公報
【発明の開示】
【発明が解決しようとする課題】
【００１１】
しかしながら、このような従来の技術においては、マスクビットを付加することによりアイリスコードのビット数が大きくなり、検索スピードが低下し、リアルタイムで個人認証を行なう場合に極めて高速度の処理装置などを使用する必要があり、装置のコストも上昇するという不都合があった。
【００１２】
また、本来のアイリスコードの他にマスクビットを付加するため、マスクビットをアイリスの周囲状況、例えば瞼やまつ毛の状況を考慮して作成する必要があり、マスクビットの作成および設定に手間がかかるという不都合もあった。
【００１３】
したがって、本発明の目的は、前述の従来例における問題点に鑑み、極座標センサ部の各ポイントの比較結果を示す値に極座標センサ部の内周部のポイント程大きな重みを与えて積算するという構想に基づき、アイリスの外周部の瞼やまつ毛などによる影響を軽減してアイリスの識別率を向上させることにある。
【００１４】
本発明の他の目的は、本来のアイリスコードにマスクビットを付加することなしに、アイリスの外周部における瞼やまつ毛などによる悪影響を除去し、高精度の識別を高速度で行なうことができるようにすることにある。
【００１５】
本発明のさらに他の目的は、本来のアイリスコードにマスクビットを付加することなく高速かつ高精度の識別ができるようにすると共に、簡単な装置構成および少ないビット数のアイリスコードで実時間の認証が的確に行なわれるようにすることにある。
【００１６】
本発明のさらに他の目的は、マスクビットを作成し本来のアイリスコードに付加する手間を省き、アイリス識別装置の装置構成を簡単にし、かつ操作性を向上させることにある。
【課題を解決するための手段】
【００１７】
本発明の一態様によれば、極座標状に配列された光電変換画素群を備え、目のアイリス領域からの画像光を、前記画素群上に結像されたアイリス画像の中心と前記極座標の極とが一致するように前記光電変換画素群上に結像させ、前記光電変換画素群の各光電変換画素を順次走査してアイリス画像信号を読み出す極座標センサ部と、読み出したアイリス画像信号にもとづきアイリス特徴抽出コードを生成する特徴抽出コード生成部と、前記特徴抽出コード生成部によって生成されたアイリス特徴抽出コードと、予め登録されたアイリス特徴抽出コードとを比較して比較評価値を生成する比較部であって、前記比較評価値は前記極座標センサ部の内周部ほど大きな重みを有する比較評価関数で生成する比較部と、を具備し、前記比較評価値を予め定めた基準値と比較してアイリス識別を行うことを特徴とするアイリス識別装置が提供される。
【００１８】
この場合、前記特徴抽出コード生成部によって生成されたアイリス特徴抽出コードと、予め登録されたアイリス特徴抽出コードとを各画素ごとに排他的論理和演算して、不一致部分を各画素の半径位置に応じて重み付けして積算することにより、前記比較評価値を生成すると好都合である。
【００１９】
また、前記極座標センサ部の光電変換画素群は、複数の同心円状の解析帯に分けて配置され、かつ円周方向の画素数が等しいものとすることができる。
【００２０】
この場合、前記アイリス特徴抽出コードを、各半径方向に沿って配列された画素群のうち、内周部側に配置された画素が最上位ビット側、外周部側に配置された画素が最下位ビット側となるよう、各半径方向に沿って配列された各画素が２進数の各ビットに対応する重みを有するよう生成し、各半径方向に沿って配列された画素群からの特徴抽出データごとに予め登録されたアイリス特徴抽出コードの対応する特徴抽出データとの大きさ比較によってアイリス識別を行うことができる。
【００２１】
また、この場合、前記各半径方向に沿って配列された画素群からのアイリス特徴抽出データのうち、最上位ビット側から一部のビットのみを使用してアイリス識別を行うと好都合である。
【００２２】
さらに、前記アイリス画像信号は前記極座標センサの円周方向の所定の読出し開始位置の画素から最内周の解析帯に沿って一周分の読出しを行い、次に、該解析帯の外側の解析帯に沿って前記読出し開始位置から一周分の読出しを行い、以下順次外周側へと読出しを行うことも可能である。
【００２３】
この場合、前記所定の読出し開始位置からすべての画素につきアイリス画像信号の読出しを行った後、読出し開始位置を順次円周方向にシフトして読出しを行い、読み出した画像信号から生成したアイリス特徴抽出コードのうち予め登録されたアイリス特徴抽出コードと最もよく整合する読出し開始位置から読み出した画像信号から生成したアイリス特徴抽出コードを使用してアイリス識別を行うと好都合である。
【００２４】
また、前記所定の読出し開始位置から、順次読出し開始位置をシフトして読出しを行う過程で、一旦同一人物と判定できる比較評価値が得られた後は、以後の読出しおよび比較を省略することができる。
【００２５】
さらに、円周方向に連続する所定数の複数の画素のそれぞれを読出し開始位置として並列的に読み出したアイリス画像信号から生成した複数のアイリス特徴抽出コードを予め登録されたアイリス特徴抽出コードとそれぞれ比較する複数の比較および積算回路を具備し、これらの比較および積算回路によって得られた比較評価値のうち、最もよく整合する比較評価値を使用してアイリス識別を行うと好都合である。
【発明の効果】
【００２６】
本発明によれば、アイリスの外周部の重みを小さくし、内周部の重みを大きくしたから、瞼やまつ毛などの影響を最小限とし、簡単な装置構成によりアイリス識別率を向上させることができる。また、マスクビットを付加する必要がなく、あるいは一部のエリアのみマスクビットを付加する構成とすることもでき、アイリスコードのビット数を大幅に削減することができる。このため、アイリスコードのサイズを小さくすることができ、高速度で識別動作を行なうことが可能になる。
【００２７】
また、アイリス領域の内、比較してはいけない部分を比較対象から除くために、比較対象外の部分のマスクビットを作成し本来のアイリスコードに組み合わせる操作が必要なくなる。このため、アイリス識別装置の製造、設定および調整手順を大幅に簡略化することが可能になる。また、装置構成も簡略化することができ、アイリス識別装置全体としての生産性を向上させ装置コストを低下させることが可能になる。
【発明を実施するための最良の形態】
【００２８】
以下、図面を参照して本発明の好ましい実施形態につき説明する。
図１は、本発明の一実施形態に係わるアイリス識別装置に使用されるアイリス情報取得装置部分の構成例を示す。同図において、このアイリス情報取得装置は、まず２つの広角カメラ１ａ，１ｂおよびズームカメラ７を具備する。広角カメラ１ａ，１ｂは、認識対象の人の目の画像を各ＣＣＤ２ａ，２ｂによって撮像し、撮像した信号のノイズをＣＤＳ回路３ａ，３ｂによって低減して得た画像信号をアイリス獲得コントローラ６に送出する。なお、広角カメラ１ａ，１ｂは、制御部４ａ，４ｂが生成する同期制御信号をもとに、ＣＣＤ２ａ，２ｂを駆動制御するＣＣＤドライバ５ａ，５ｂを制御するとともに、ＣＤＳ回路３ａ，３ｂの処理動作を制御している。
【００２９】
図１の装置はまたアイリス獲得コントローラ６を具備する。アイリス獲得コントローラ６は、広角カメラ１ａ，１ｂから入力された画像信号をもとに、認識対象の人の目の３次元位置を特定し、この特定した結果を示す信号またはデータをズームカメラ７に出力する。
【００３０】
ズームカメラ７は、この３次元位置をもとに、ステアリングモータ７ｂを駆動制御してミラー８ｃを動かし、ズームカメラ７の撮像方向を人の目の方向に向ける。また、ズームカメラ７は、ズームレンズ光学系８を駆動するズーム／フォーカスモータ７ａを制御して人の目の３次元位置に合焦させるとともに、撮像対象のアイリス画像がアイリス情報センサ１０、の撮像領域に一致するようにズーム量を調整する制御を行う。ズームカメラ７内のアイリス取得部９は、センサ１０が撮像したアイリス画像とセンサとの位置誤差およびフォーカス誤差情報をアイリス獲得コントローラ６に送出する。
【００３１】
アイリス獲得コントローラ６は、上述したアイリス部の情報が得られるまで上述したカメラ系各部をサーボコントロールする。アイリス部の情報が得られると、この情報、すなわちアイリスコード、を内臓あるいは図示しないホストコンピュータが保持している予め登録されたアイリスコードと照合し、あるいはホストコンピュータに照合させる。なお、ホストコンピュータがカメラ系各部の制御を行なってもよいし、アイリス取得部９の各誤差信号によりセンサ部自身で制御を行なってもよい。
【００３２】
なお、図１の構成においては、撮像対象のアイリス画像がセンサ１０の撮像領域に一致するように撮像画像の大きさを調整するズームレンズ光学系８を備えている。しかしながら、本発明はこのようなズームレンズ光学系８を使用せず、例えば単焦点のレンズを使用してもよいことは明らかである。例えば、カメラの前面の所定位置にのぞき穴などを設け、被識別対象者にこののぞき穴からカメラのレンズ部を見るよう指示する構成、いわゆるのぞき込み方式、などでは、カメラと目との間の距離をほぼ所定値に設定することができる。したがって、このような場合はズームレンズを使用しなくとも撮像対象のアイリス画像をセンサ１０の撮像領域にほぼ一致させることができる。また、この場合はカメラに対する目の位置もほぼ所定の位置関係に規制されるので、図１における広角カメラ１ａ，１ｂなどを使用しない構成も可能である。
【００３３】
また、図１の構成においては、ミラー８ｃを動かしてズームカメラ７の撮像方向を目の方向に向けている。ただし、本発明はミラーの代わりに、ＶＡＰ（可変頂角プリズム）や撮像レンズあるいはその一部を光軸に直角方向にシフトさせることによって目の位置合わせを行なうこともできる。
【００３４】
上記構成において、アイリス獲得コントローラ６がアイリス取得部から受けるアイリス部の情報は、アイリス取得部９によって２値化されたアイリスコードとなっている。このアイリス取得部９の詳細構成について図２を参照して説明する。
【００３５】
図２は、図１に示すアイリス情報取得装置におけるアイリス取得部９の概略の構成を示す。同図のアイリス取得部９は、極座標状に配列された複数の光電変換画素からなる極座標センサ部１０ａを備えたアイリス情報センサ１０を備えている。極座標センサ部１０ａの各光電変換画素は、フォトダイオードで構成してもよく、ＣＣＤ撮像素子によって構成してもよく、あるいはＭＯＳ型の撮像素子その他の光電変換素子で構成してもよい。また、極座標センサ部１０ａの中心エリア１０ｂにはアイリス画像の中心と極座標センサ部の極座標の極との位置誤差を検出するための位置検出部１０ｃが配置されている。位置誤差検出部１０ｃは、例えば、前記極座標の極を中心として４分割されたフォトダイオードによって構成することができる。
【００３６】
図２の装置は、また、センサ１０の光軸上に設けられ人間の目を可視光で照明する照明用のＬＥＤ（発光ダイオード）１３を有する。なお、ＬＥＤ１３の発光面はセンサ１０の受光面と光学的に位置をずらすことにより、ＬＥＤ１３が人間の目を的確に照明できるように構成すると好都合である。なお、照明手段としてはＬＥＤ１３の他に、ＥＬ（電界発光）素子その他任意のものが使用できる。
【００３７】
図２の装置は、さらに、アイリス内径検出回路１１を有する。アイリス内径検出回路１１は、撮像したアイリス画像における半径方向の瞳とアイリスとの境界をレベル変化によって検出し、すなわちエッジ検出を行ない、その結果からアイリス画像の内径を求める。この場合、図２には図示されていないが、極座標センサ部１０ａのアイリス画像撮像用の、例えば８つの解析帯（リング帯）を形成する、有効画素部分のさらに内周部および外周部にはそれぞれ１周分のエッジ検出用の画素がリング状に配置されている。アイリス内径検出回路１１は内周部のエッジ検出用の画素と該画素より外側に配置された画素との間の検出信号のレベル変化によって瞳とアイリスとの境界の検出を行なう。具体的には、例えば、検出信号のレベル変化は各画素出力を１周分平均した値の差によって求めることができる。
【００３８】
図２の装置は、さらにアイリス外径検出回路１２を有し、該アイリス外径検出回路１２も同様に、撮像したアイリス画像におけるアイリスの外周縁をレベル変化によって検出し、すなわちエッジ検出を行ない、その外径を求める。すなわち、上記アイリス内径検出回路と同様に、アイリス外径検出回路１２は上述の極座標センサ部１０ａの外周部のエッジ検出用の画素と該画素より内側に配置された画素との間の検出信号のレベル変化によってエッジ検出を行なうことができる。
【００３９】
また、アイリス外径検出回路１２は、ズーム誤差信号をアイリス獲得コントローラ６に出力する。なお、アイリス内径検出回路１１は、前述のようにアイリスの内径を検出するが、この検出した内径とセンサ１０の内周縁とのずれ、すなわち瞳径誤差信号を生成し、アイリス獲得コントローラ６に送出する。
【００４０】
アイリス獲得コントローラ６は、この瞳径誤差信号がなくなるようにＬＥＤ１３の明るさを制御する。すなわち、瞳径が極座標センサ部１０ａの内周縁よりも大きい場合には、ＬＥＤ１３の明るさを増し、瞳径が極座標センサ部１０ａの内周縁よりも小さい場合にはＬＥＤ１３の明るさを減じる制御を行なう。具体的には、例えば、内周側のエッジ検出用の画素の出力と該画素の外側の有効画素の出力との差が最大になるようＬＥＤ１３の明るさを制御するサーボ動作を行なう。
【００４１】
これにより、瞳径は、常に極座標センサ部１０ａの内周縁に一致し、また、ステアリング誤差信号、ズーム誤差信号などによって、極座標センサ部１０ａの外周縁はアイリスの外径に一致するため、撮像対象のアイリス部は、極座標センサ部１０ａ上の画素配列パターンに常に一致して撮像されることになる。
【００４２】
したがって、極座標センサ部１０ａの各画素の半径方向幅を必要な分解能例えば８等分に分割しておけばよく、このような極座標センサ部１０ａを有するセンサ１０からの撮像信号を用いてそのままアイリスコードを生成することができる。
【００４３】
センサ１０からの撮像信号はハイパスフィルタ１４に送られる。ハイパスフィルタ１４によって撮像信号の高域成分レベルを取り出し、フォーカス制御信号として出力する。上述のようなステアリング誤差信号、ズーム誤差信号、およびフォーカス制御信号は、それぞれ前述のアイリス獲得コントローラ６に送られる。アイリス獲得コントローラ６は、上述したようにズームカメラ内のステアリングモータ７ｂおよびズーム／フォーカスモータ７ａを制御することによって撮像対象のアイリスを極座標センサ部１０ａの中心に一致させると共に、アイリスの外径を極座標センサ部１０ａの外周縁に一致させ、かつ合焦処理を行なわせる。
【００４４】
タイミングジェネレータ１８は、センサ１０のドライバ１９を駆動させ、各解析帯毎にθ方向（回転方向）に画素信号を出力させる走査を行なう。前述のフィードバック処理による微調整を行なうことによって適正な撮像が可能な状態になると、各画素からの読出し出力信号は、後に詳細に説明するように、読出し電位保持部を介して加重移動平均回路１５に送られる。加重移動平均回路１５は、送られた画素出力信号の変化点、すなわちアイリスパターンのθ方向の変化を抽出する。さらに、２値化回路１６は、抽出された信号に対して、内在するコンパレータによって２値化処理を行なったアイリスコードを生成する。そして、このアイリスコードはラッチ回路１７を介してアイリス獲得コントローラ６に送られる。アイリス獲得コントローラ６は、上述したように各解析帯のアイリスコードと、ホストコンピュータに予め登録されたアイリスコードとの比較を行ない、個人認証を行なう。なお、アイリスコードはセキュリティ確保のために暗号化または符号化して各回路装置間を伝送することが好ましい。
【００４５】
なお、上述の方法によれば、センサ１０として半径方向の画素数が多いものを使用して各解析帯に分割する必要がなく、しかもアイリスの中心が決定されているので、アイリス画像を予め登録しておくことにより、非常に簡単なパターンマッチングによっても認証処理を行なうことができる。すなわち、アイリスの内径と外径とが既知であるので、アイリスの中心で回転することのみによってパターンマッチングを行なうことができ、比較速度を格段に向上させることができる。
【００４６】
図３は、本発明の一実施形態に係わるアイリス識別装置に使用されるアイリスセンサの極座標センサ部１０ａ、および画素の重み付けの例を示す説明図である。
【００４７】
図３において、極座標センサ部１０ａは、画素３１を極座標の極ｏを中心として半径方向に例えば、８つの解析帯に沿って配置している。また、各解析帯における円周方向の画素数は等しくなっており、例えば２５６とされる。なお、極座標の極ｏの近傍の中心エリアにはアイリス画像の中心と極座標センサ部１０ａの極座標の極ｏとの位置誤差を検出するための前述の位置誤差検出部１０ｃが配置されている。図３の位置誤差検出部１０ｃは、前記図２に示されたものと形状が異なるが、極座標の極ｏを中心として４分割されたフォトダイオードによって構成されている。
【００４８】
本発明においては，このような極座標センサ部１０ａによって読み取ったアイリス画像情報から生成したアイリスコードを予め登録されたアイリスコードと比較する際に、アイリス特徴情報の豊富な内周部程重みのある比較評価関数を使用する。
【００４９】
例えば、図３の（１）に示されるように、極座標センサ部１０ａの、最内周重み＝４，以下＝４，＝３，・・・，最外周重み＝１とした評価関数で比較する。あるいは、図３の（２）に示されるように、最内周重み＝８，以下＝７，＝６，・・・，最外周重み＝１とする。あるいは、図３の（３）に示されるように、最内周重み＝８，以下＝４，＝２，・・・，最外周重み＝１、あるいは図３の（４）に示されるように、最内周重み＝１２８，以下＝６４，＝３２，・・・，最外周重み＝１とした評価関数で比較する。
【００５０】
すなわち、例えば、各画素のデータと予め登録されたデータとを排他的論理和演算し、この排他的論理和演算によって得られた値、すなわち“１”または“０”に、上述のような半径方向に内周部程大きな重みの値を乗算し、かつ積算する。
【００５１】
このような積算値を比較評価値として使用し、所定の基準値と比較することによりアイリス識別を行なうことができるが、内周部程重みのある比較評価関数を使用することにより、外周部の重みが小さくなる。したがって、外周部にしか現われない瞼やまつ毛の評価値における影響をかなり小さくすることができる。このため、瞼の部分などをマスクビットを使用して除去することなく、極座標センサ部で読み取ったデータ全体を比較してアイリス識別を行なうことが可能になる。
【００５２】
また、例えば図３の（４）に示されるように、内周部がＭＳＢ側、外周部がＬＳＢ側になるように特徴抽出コードを作成し、重みの付け方を工夫して、例えば、２のべき乗の重み付けをすることにより、特徴抽出コードを予め登録されたコードデータと単なる大きさ比較することによってアイリス識別を行なうことが可能になる。すなわち、円周方向の各特徴点における大きさ比較によって得られた差の値を、円周方向に特徴点数分（すなわち、画素数分）積算した結果が小さい程類似度が高いと判別することができる。したがって、この積算した結果が所定値以下であるか否かによって個人認証を行なうことが可能になる。
【００５３】
このような方法では、各特徴点における大きさ比較によって比較評価値を得ることができるので、相似コードの検索時間を大幅に短縮することができ、各画素毎に比較する場合に比べておよそ８分の１とすることが可能となる。
【００５４】
しかし、この場合、最内周は最外周の１２８倍の重みとなり、内周側の精度、特に中心位置合わせ精度、が非常に大きな影響を与え、高い性能の位置合わせサーボ機構が要求される。そこで、図３の（３）に示されるように、主として上位４ビットのみの大きさを比較する重み付けを行なうことにより、内外周の重み差を小さくし、かつ、比較時間を短縮することも可能になる。
【００５５】
特に、後に詳細に示すように、極座標センサ部に対する目の傾きの違いによる不一致を吸収するため、アイリスコード比較の際には、例えば＋／−１０°、すなわち＋／−７画素程度、比較開始位置を振って比較し、その内最も似ている結果で個人を識別するなどの方法を取ることができる。
【００５６】
このような処理をアイリス識別装置内のマイコンやホスト側のソフトウェアで行なう場合には、一般的には、各ビット毎に一致／不一致を確かめ、不一致の場合には重みを掛けて積算するという操作を、解析帯の数（８）×円周方向特徴点数（２５６）分繰り返す必要がある。
【００５７】
このような方法では、演算量がかなり多くなり、極めて高速度の演算処理装置を必要とする。これに対処する１つの方法として、前述のように、図３の（３）および図３の（４）に示されるような、２のべき乗の重み付けをすることで、単なる大きさ比較でよいため、比較時間を短縮し、演算処理装置の負担が軽くなる。
【００５８】
図４は、ハードウェア回路を用いてアイリス識別を行なう場合の概略の装置構成を示す。同図の装置は、前述のような極座標センサ部を備えたアイリス情報センサ４１と、予めアイリス特徴抽出コードを記憶しておくための不揮発メモリ４２と、不揮発メモリ４２の出力を並列−直列変換するＰＳ変換回路４３と、アイリス情報センサ４１から供給されるアイリスコードとＰＳ変換回路４３から供給されるアイリスコードとを比較するための排他的論理和回路４４とを備えている。
【００５９】
図４の装置はまた、排他的論理和回路４４の出力を積算する積算器４７と、該積算器４７に半径位置に応じた重みを設定するための重み設定回路４６と、この重み設定回路４６に半径位置を示す信号を与える半径カウント／セレクタ４５を備えている。
【００６０】
図４の装置はさらに、積算器４７によって得られた比較評価値を判定基準回路４８から供給される基準値と比較する比較器４９を備えている。
【００６１】
図４の装置においては、アイリス情報センサ４１を備えた撮像装置によって、判定対象の個人などの目のアイリス領域からの画像光を撮像して対応するアイリスコードが生成される。一方、不揮発メモリ４２に予め登録されたアイリスコードがＰＳ変換回路４３によって直列コードデータに変換され排他的論理和回路４４に供給される。排他的論理和回路４４は極座標センサ４１からのアイリスコードと不揮発メモリ４２からの登録アイリスコードとを対応する各ビット毎に排他的論理和演算し、例えば、不一致の場合は“１”の信号を出力し、一致する場合は“０”の信号を出力する。これらの信号は積算器４７に供給される。
【００６２】
半径カウント／セレクタ４５は、アイリス情報センサ４１のアイリスコードの読出しと同期して、アイリス情報センサ４１から出力されるアイリスコードの各ビットの半径位置を示す信号を生成する。この半径位置を示す信号は重み設定回路４６に供給される。重み設定回路４６は、入力された信号で示される半径位置に応じて、前述のように内周部程大きな重みを示す信号を出力し積算器４７に供給する。
【００６３】
積算器４７は、排他的論理和回路４４から入力される不一致を示す信号値、例えば“１”と重み設定回路４６から入力される重みの値を乗算して積算する。排他的論理和回路４４は、アイリス情報センサ４１からのアイリスコードのビットと、不揮発メモリ４２からのアイリスコードの対応するビットとが一致する場合は、例えば、信号値“０”を出力するから、積算器４７は不一致の場合にのみ半径位置に応じて重み付けされた値を積算する。
【００６４】
アイリス情報センサ４１の全ての画素からのデータに関して排他的論理和回路４４での演算、および積算器４７の積算が行なわれた時点で、積算器４７は識別対象の人の比較評価値を出力する。
【００６５】
したがって、比較器４９によって、積算器４７から出力される比較評価値を判定基準回路４８から供給される基準値と比較し、判定結果として、比較評価値が基準値以下の場合に同一人物と判定することができる。なお、判定基準回路４８から供給される基準値は、例えば内部に予め用意してある幾つかの値の中から選択するか外部から供給できるようにすると好都合である。これによって、アイリスコードの相関度を所望の値に設定して、本人拒否率や他人受入れ率を適切に設定することが可能になる。
【００６６】
上記構成において、積算器４７などはデジタル回路として構成してもよく、あるいはアナログ回路で実現することもできる。図５は、図４の積算器４７を含む回路部分をアナログ回路で実現した構成を示す。同図の回路構成においては、半径位置によって定められる重みに応じた電流値を有する電流源Ｉ１，Ｉ２，Ｉ３，・・・，Ｉ８と、これらの電流源と直列に接続されたトランジスタスイッチＳ１，Ｓ２，Ｓ３，・・・，Ｓ８を備えている。各々の電流源Ｉ１，Ｉ２，・・・とトランジスタスイッチＳ１，Ｓ２，・・・との直列回路は両端が一緒に接続され、図示しない電源線と、不一致の場合にオンとされるＭＯＳトランジスタ５１の一方の電流端子、ソースまたはドレイン、に接続されている。
【００６７】
各トランジスタスイッチＳ１，Ｓ２，Ｓ３，・・・，Ｓ８のゲート電極には、各半径の解析帯の読出し時に対応するトランジスタスイッチをオンとするための半径選択信号ｒＡＤＲＳ１，ｒＡＤＲＳ２，ｒＡＤＲＳ３，・・・，ｒＡＤＲＳ８が供給される。したがって、各トランジスタスイッチＳ１，Ｓ２，Ｓ３，・・・，Ｓ８は極座標センサ部の内周部から外周部へと各半径位置の解析帯の画素を読み出している間中オンとされる。
【００６８】
図５の回路は、さらに、ＭＯＳトランジスタ５１と直列に接続されたリセット用ＭＯＳトランジスタ５２、リセット用ＭＯＳトランジスタ５２と並列に接続された容量（Ｃ）５３を備えている。さらに、図５の回路は、容量５３の両端の電圧に対応する信号が一方の端子に入力され、他方の入力に判定基準回路から判定レベルを示す信号を受ける比較器５４と、伝送ゲートおよびインバータなどで構成されるラッチ回路５５を備えている。
【００６９】
なお、リセット用ＭＯＳトランジスタ５２のゲート電極には、アイリス情報センサの極座標センサ部の有効画素エリアの内周側に隣接して配置されたエッジ検出用画素の読出し時にアクティブになる信号ｒＡＤＲＳ０をリセット信号として供給している。さらに、ラッチ回路５５の各伝送ゲートの制御信号として、極座標センサ部の有効画素エリアの外周に設けられた他のエッジ検出用の画素の読出しを行なう場合にアクティブになる信号ｒＡＤＲＳ９が供給されている。ラッチ回路５５は、遅延型フリップフロップ（Ｄ−ＦＦ）と同様の動作を行なう。
【００７０】
図５の回路においては、極座標センサ部の例えば最内周の解析帯の画素を読み出している場合には、半径選択信号ｒＡＤＲＳ１がオンとなり、トランジスタスイッチＳ１が導通している。したがって、例えば図４の排他的論理和回路４４から不一致を示す信号がトランジスタ５１のゲートに加えられると、該トランジスタ５１がオンとなり、電流源Ｉ１で決定される電流がトランジスタスイッチＳ１およびトランジスタ５１を介して容量５３に流れ、容量５３に該電流の大きさに対応する電荷が蓄積される。このようにして、比較結果が不一致になるに応じて、電流源Ｉ１で定められる大きさの電流が流れ、該電流の大きさに対応する電荷が容量５３に積算されていく。
【００７１】
このようにして、極座標センサ部の内周の解析帯から外周の解析帯まで順次読出しが行なわれ、この読出し中に不一致が生じたことに応じて、各半径位置の電流源によって決定される大きさの電流がトランジスタ５１を流れ、該電流に対応する電荷が容量５３に蓄積される。
【００７２】
このようにして、全画素の読出しが終了すると、容量５３には比較評価値に対応する電荷、従って電圧が蓄積される。この比較評価値を示す電圧を比較器５４において判定基準回路から供給される判定レベルを示す電圧と比較し、有効画素の外周のエッジ検出用画素を選択する半径選択信号ｒＡＤＲＳ９によってラッチ５５に比較結果を示すデータが取り込まれる。したがって、ラッチ回路５５の出力によって同一人物か否かの判定結果が示される。なお、容量５３に積算電荷を蓄積する前に、有効画素エリアの内周のエッジ検出用画素を選択する半径選択信号ｒＡＤＲＳ０によってリセット用ＣＭＯＳトランジスタ５２がオンとされ、容量５３の電荷を放電し比較評価値をリセットする。
【００７３】
図６（ａ），（ｂ）は、本発明に係わるアイリス識別装置に使用されるアイリス情報センサの概略の構成を示す。同図に示されるアイリス情報センサは、半導体などのセンサ・チップ基板（以下単に基板と称する）６１の上に集積形成された極座標センサ部１０ａを基本的構成要素として備えている。極座標センサ部１０ａは、極座標の原点ｏを中心として極座標状に配列された複数の光電変換画素６２を備えている。光電変換画素６２は、例えばフォトダイオードからなり、目のアイリス画像を撮像するためのものである。
【００７４】
極座標の原点ｏから所定半径の中心エリアには位置誤差検出用の４分割フォトダイオード（ＰＤ）センサ１０ｃが形成されている。この位置誤差検出用ＰＤセンサ１０ｃは、例えば、原点ｏを頂点とする頂角が９０°の４つの扇形領域に分割されたフォトダイオードからなる。
【００７５】
極座標センサ部１０ａの外側には、極座標センサ部１０ａからの画像信号を読み出しかつ処理するための各種の回路要素が形成されている。例えば、参照数字６３で示される一対の短冊状の部分は、極座標センサ部１０ａからの読出し画像信号を一時記憶するための読出し電位保持用容量であり、一対の容量が１つの画素に対応する。読出し電位保持用容量６３は極座標センサ部１０ａの１つの半径位置の１周分の画素からの画像電荷を保持できる数だけ設けられている。前記一対の容量は、例えば、一方の容量が画素のリセット直後の電位を保持し、他方の容量が画像光を受光した後の画素の電位、すなわち、チャージ後の電位、を保持し、これらの両方の容量の電位の差を画素からの読出し信号として使用する。
【００７６】
また、参照数字６４は、読出し電位保持用容量６３を介して読み出された画像信号を外部に出力するためのＭＯＳトランジスタアレイを含むスイッチング回路その他を配置した出力選択処理回路を示している。
【００７７】
なお、図６（ｂ）は、図６（ａ）の極座標センサ部１０ａにおける光電変換画素６２の一部を取り出して示したものである。図６（ｂ）に示されるように、光電変換画素６２は、極座標の原点ｏを中心として、例えば、８つの解析帯を構成するよう配置されている。例えば、最内周の解析帯を構成する画素６２ａは極座標の極ｏを中心とする所定半径上に配置されている。また、最内周の解析帯の外側には第２の解析帯の円周に沿って画素６２ｂが配置され、さらに外側の解析帯には画素６２ｃが円周に沿って配置され、以下同様に順次外側の解析帯に沿って画素が配置されている。これらの画素６２ａ，６２ｂ，６２ｃ，・・・はアイリス画素を撮像してアイリスコードを生成するための有効画素群を構成する。なお、これらの有効画素群の領域の内周部には、極座標センサ部１０ａに投影されるアイリス画像の内周エッジを検出するためのエッジ検出用画素群６５が配置されている。さらに、有効画素エリアの外周には図示しない外側エッジ検出用の画素群が配置されている。
【００７８】
なお、各有効画素６２は、半径方向のほぼ中央部付近、すなわち各解析帯の中央部付近、は画素の幅が大きく、半径方向の中央付近から遠ざかるに応じて画素の幅が小さくなる形状とし、画素の半径方向中央付近で最も画素出力が大きくなるように重み付けが行なわれるよう、略菱形形状を有する。また、最内周のエッジ検出用画素６５および図示しない最外周のエッジ検出用画素は略三角形の形状を有している。
【００７９】
図６のアイリス情報センサ６１においては、極座標センサ部１０ａの各画素６２からのアイリス画像信号の読出しは、最内周の解析帯の画素６２ａの内の、所定の開始位置６６の画素から最内周の１周分の画素の読出しを行ない、次に第２の解析帯の画素６２ｂを円周方向に沿って読み出す。以下、同様にして各半径位置の１周分の画素の読出しを行ない、最外周の有効画素まで読出しを行なって１回分の読出しを完了する。図６（ａ）における略渦巻き状の矢印はこの読出し過程の一例を示す。
【００８０】
なお、実際には、各半径位置の１周分の画素からの読出し電荷が、読出し電位保持用容量６３に同時に読み出されて蓄積され、出力選択回路６４などによって円周方向の画素の信号が順次出力される。
【００８１】
上述のようなアイリス情報センサによって目のアイリス情報を読み出しアイリス識別を行なう場合に、読出し開始位置６６を所定の開始位置、図６（ｂ）で（１）で示される画素の位置、から読み出した後、この開始位置６６の前後の画素から同様にアイリス画像情報を読み出しアイリス識別を行なうと好都合である。すなわち、アイリス情報センサ６１と認識対象の人の目の傾きの違いによる比較評価値の誤差を吸収するため、アイリスコードを予め登録されたアイリスコードデータと比較する際には、例えば＋／−１０°、例えば＋／−７画素、程度比較開始位置を振って（シフトして）比較を行なうと好都合である。読出し開始位置をシフトさせて順次読出しを行ない予め登録されたアイリスコードデータと比較し、その内最も似ている結果で、すなわち最も評価値が低い読出しアイリスコードを使用して個人識別を行なうと好都合である。
【００８２】
例えば、図６（ｂ）に示されるように、最初に数字（１）で示される読出し開始位置６６の画素から極座標センサ部１０ａの画素の読出しを行なう。次に、読出し開始位置、すなわち比較開始位置、を図６（ｂ）の（２）で示される位置にシフトし、この位置の画素から同様に極座標センサ部１０ａの画素の信号を読み出し予め登録されたアイリスコードデータと比較する。以下、同様に、読出し開始位置を（３），（４），（５），・・・と振ってアイリスコードの比較を行ない最も比較評価値の低い値を採用する。
【００８３】
なお、このような比較開始位置を振って比較評価値を得る場合は、目の傾斜が一致するポイントを含む少ない範囲でのみ小さな値となる。したがって、比較開始位置を振って順次読出しを行ない、一旦、比較評価値が同一人物と判定できる判定値以下になった後は、あるいはさらに比較開始位置を変えたことにより比較評価値がこの判定値以上になった場合は、以下の比較を省略して比較時間を短縮することができる。したがって、最初に傾き０°で比較を行ない、次に＋／−１画素、＋／−２画素、・・・だけずれた開始位置から読み出して比較するのが望ましい。
【００８４】
以上のようなアイリスコードの読出しおよび比較操作は、アイリス識別装置内に設けたマイコンや、ホスト側のコンピュータを使用してソフトウェアで行なうことができる。この場合には、各ビット毎に一致／不一致を確かめ、不一致の場合には半径位置に応じて設定された重みを乗算して積算するという操作を、解析帯の数（８）×円周方向特徴点数（２５６）分繰り返す必要がある。また、前述のように比較開始位置を順次シフトさせながら比較操作を行なう場合には、このような操作を各比較開始位置毎に行なう必要がある。
【００８５】
また、前述の図４に示される回路を使用して円周方向の読出し開始位置を順次振ることで読出しおよび比較を行なうこともできる。この場合は、図４の極座標センサ４１から予め所定の読出し開始位置から画像信号を読み出しアイリスコードを生成して前述のように比較器４９で比較を行なう。そして、次に極座標センサ４１からの読出し開始位置を順次左右にシフトして同様にアイリス画像信号の読出しおよびアイリスコードの生成を行ない、比較器４９で比較を行なう。このような操作によって、最も比較評価値が低いアイリスコードデータを採用してアイリス識別を行なえばよい。
【００８６】
次に、図７は、複数の読出し開始位置から同時にアイリス画像信号を読み出しかつアイリスコードを生成して、同時に比較判定を行なう構成を示す。
【００８７】
図７の回路は、画素シフト回路７１ａを備えた極座標センサ７１と、登録されたアイリスコードデータを記憶する不揮発メモリ７２と、不揮発メモリ７２の出力データを直列信号に変換するＰＳ変換回路７３と、各々極座標センサ７１から並列的に出力されるアイリスコードと不揮発メモリ７２からの登録アイリスコードデータとを比較する排他的論理和回路７４−１，７４−２，７４−３，・・・，７４−ｍを備えている。図７の回路はまた、各々の排他的論理和回路７４−１，７４−２，７４−３，・・・，７４−ｍに対応して設けられた複数組の半径カウント／セレクタ７５、重み設定回路７６、積算器７７、判定基準発生回路７８および比較器７９を備えている。
【００８８】
図７の回路構成において、アイリス情報センサ７１は、前に図６で説明したアイリス情報センサ６１と同様の構成を有する。したがって、アイリス情報センサ７１は、極座標センサ部１０ａと、該極座標センサ部１０ａの外側に配置され１周分の画像信号電位を保持する読出し電位保持用容量６３と、ＭＯＳトランジスタアレイ６４を有している。したがって、極座標センサ部１０ａの各解析帯の画素電荷は各解析帯１周分の画素電荷が並列的に読出し電位保持用容量６３に読み出される。したがって、この並列的に読み出された画素電荷をＭＯＳトランジスタアレイ６４などによって構成される画素シフト回路７１ａによって、それぞれ異なる読出し開始位置から並列的に取り出し、それぞれに対応するアイリスコードを生成することができる。
【００８９】
このようにして各読出し開始位置から読み出された画像信号に基づき生成された複数系統のアイリスコードは、それぞれ排他的論理和回路７４−１，７４−２，７４−３，・・・，７４−ｍに入力され、不揮発メモリ７２から供給される登録アイリスコードデータと排他的論理和演算が行なわれる。各々の排他的論理和回路７４−１，７４−２，７４−３，・・・，７４−ｍは、各読出し開始位置から順次読み出されるアイリスコードと登録アイリスコードデータとを排他的論理和演算し、両者が一致する場合には“０”を出力し、不一致の場合には“１”を出力する。
【００９０】
したがって、積算器７７において、前に図４を参照して説明したのと同様に、半径カウント／セレクタ７５で指定される半径位置に応じた重み付けデータを重み設定回路７６が発生し、この重みの値を積算器７７において不一致の場合のデータ“１”に乗算して積算し、比較評価値を生成する。このようにして生成された比較評価値が比較器７９において判定基準発生器７８から供給される判定基準を示す値と比較され判定結果が出力される。
【００９１】
このような処理が、各々の排他的論理和回路７４−１，７４−２，７４−３，・・・，７４−ｍの出力について行なわれ、複数の読出し開始位置からの読出し信号に基づく判定結果が複数の比較器７９によって同時に表示出力される。
【００９２】
このような回路構成を用いることにより、複数の読出し開始位置から読み出されたアイリス画像信号、従ってアイリスコード、に関し並列的に登録アイリスコードデータと比較を行なうことができる。したがって、目の傾きの違いによる比較評価値への影響が除去され、高速度で正確なアイリス識別を行なうことが可能になる。
【００９３】
図８は、本発明の別の実施形態に係わるアイリス識別装置の概略の構成を示す。同図の装置は、例えば対面式、あるいはのぞき込み方式のアイリス検出を行なう場合などに使用される構成を示す。図８の装置構成では、例えば、所定の穴からアイリスセンサをのぞき込むようにしあるいは認識対象者が所定の枠などの位置に顔を位置させることによって、アイリスセンサに対して所定の狭い範囲内に、かつアイリスセンサから所定の距離に認識対象者の目が位置するよう構成する。このような場合には、前に図１を参照して説明したような、広角カメラによるアイリス位置出しなどの前処理を行なう代わりに、ＶＡＰ（頂角可変プリズム）８ａまたは複数のレンズの相対的な平行移動を使用して構成を簡略化することができる。例えば、図８では、頂角可変プリズム８ａとズームレンズ８ｂを含む光学系とアイリスセンサを含むアイリス取得部９などを含むズームカメラのみの制御でアイリス画像を得ることができる。
【００９４】
なお、図８において、７ｃは頂角可変プリズム８ａを駆動するためのパン／チルトモータであり、７ｄはズーム／フォーカスモータを示す。
【００９５】
さらに、コントローラ８１は、前記図１のアイリス獲得コントローラ６のように広角カメラの制御部分が必要ではなく、簡略化されたものであり、頂角可変プリズム８ａおよびズームレンズ８ｂの駆動制御などを行なう。
【００９６】
また、図８の装置は、比較用の登録アイリスコードを記憶するためのメモリ８２と、アイリス取得部９によって検出されたアイリスコードとメモリ８２に記憶された登録アイリスコードとを比較する比較回路８３、さらには比較回路８３の識別判定レベル、すなわちアイリスコードの相関度を設定するための判定値設定回路８４を具備する。判定値設定回路８４は、例えば判定値を記憶するレジスタなどによって構成され、該レジスタに装置外部より、あるいは装置内部に予め用意してある幾つかの値をこのレジスタに書き込み、識別判定レベルを設定する。
【００９７】
また、暗号化回路８５が設けられ、アイリス識別の判定結果を示すデータを暗号化して外部に供給できるようにする。
【００９８】
図８の構成では、例えば、アイリス取得部９、コントローラ８１、メモリ８２、比較回路８３、判定値回路８４および暗号化回路８５などを１つの集積回路装置８０として一体化し、装置構成を簡略化することができる。また、アイリス識別の判定レベルを任意の所望の値に設定することができる。さらに、アイリスコードが外部に出力されないのでアイリスコードの秘密性が保持され、装置としてより安全な識別装置が実現できる。したがって、簡単な装置構成によって高性能のアイリス識別装置が提供される。
【産業上の利用可能性】
【００９９】
本発明はＡＴＭのような高い信頼性と高い利便性とを備えて個人識別を行なう必要がある装置に適用可能であり、そのような装置におけるアイリス情報取得装置およびアイリス識別装置などの装置構成を簡略化し、高い識別精度を実現することが可能である。
【図面の簡単な説明】
【０１００】
【図１】本発明の一実施形態に係わるアイリス識別装置に使用されるアイリス情報取得装置の構成例を示すブロック図である。
【図２】図１のアイリス情報取得装置におけるアイリス取得部の概略の構成を示すブロック図である。
【図３】本発明に係わるアイリス識別装置に使用されるアイリス情報センサおよび各画素の重み付けの方法を示す説明図である。
【図４】本発明の一実施形態に係わるアイリス識別装置の概略の構成を示すブロック図である。
【図５】図４のアイリス識別装置などに使用可能なアナログ積算器の構成を示すブロック回路図である。
【図６】本発明に係わるアイリス情報センサのチップ上の概略の構成を示す説明図（ａ）、およびアイリス情報センサの極座標センサ部の一部を取り出して示す読出し手順説明図（ｂ）である。
【図７】本発明のさらに別の実施形態に係わるアイリス識別装置の概略の構成を示すブロック図である。
【図８】本発明のさらに別の実施形態に係わるアイリス識別装置の概略の構成を示すブロック図である。
【符号の説明】
【０１０１】
１ａ，１ｂ  広角カメラ
６  アイリス獲得コントローラ
７ａ  ズーム／フォーカスモータ
７ｂ  ステアリングモータ
８  ズームレンズ光学系
９  アイリス取得部
１０  アイリス情報センサ
１０ａ  極座標センサ部
１０ｃ  位置誤差検出用ＰＤセンサ
１１  アイリス内径検出回路
１２  アイリス外径検出回路
１３  発光ダイオード
１４  ハイパスフィルタ
１５  加重移動平均回路
１６  ２値化回路
１７  ラッチ回路
１８  タイミングジェネレータ
１９  ドライバ
３１  光電変換画素
３３  半径方向画素群
４１，７１  アイリス情報センサ
４２，７２  不揮発メモリ
４５，７３  ＰＳ変換回路
４４，７４−１，７４−２，・・・，７４−ｍ  排他的論理和回路
７１ａ  画素シフト回路
４５，７５  半径カウント／セレクタ
４６，７６  重み設定回路
４７，７７  積算器
４８，７８  判定基準回路
４９，７９  比較器
６１  センサ・チップ基板
６２  光電変換画素
６３  読出し電位保持用容量
６４  出力選択処理回路
６５  エッジ検出用画素群
６６  読出し開始位置
【図１】
2006185299.tif 000003
【図２】
2006185299.tif 000004
【図３】
2006185299.tif 000005
【図４】
2006185299.tif 000006
【図５】
2006185299.tif 000007
【図６】
2006185299.tif 000008
【図７】
2006185299.tif 000009
【図８】
2006185299.tif 000010